(57)【特許請求の範囲】
【請求項１】
フェノール変性シリコーンを含む水分散液であり、花粉、ダニ、カビ、ハウスダスト及びペットの老廃物から選択される少なくとも１種の環境中アレルゲンを不活性化することを特徴とする環境中アレルゲン低減化組成物。
【請求項２】
エタノールを含むことを特徴とする請求項１に記載の環境中アレルゲン低減化組成物。
【請求項３】
前記フェノール変性シリコーンを０．０１〜２０質量％含むことを特徴とする請求項１又は２に記載の環境中アレルゲン低減化組成物。
【請求項４】
請求項１〜３のいずれか１項に記載の環境中アレルゲン低減化組成物を噴霧して前記環境中アレルゲンと接触させることを特徴とする環境中アレルゲン低減化方法。
【発明の詳細な説明】
【技術分野】
【０００１】
本発明は、環境中の花粉、ダニ、ハウスダスト等のアレルゲンを低減化する環境中アレルゲン低減化組成物、環境中アレルゲン低減化剤、及び環境中アレルゲン低減化方法に関する。
【背景技術】
【０００２】
花粉症やアトピー性皮膚炎、その他のアレルギー症状を引き起こす環境中アレルゲンとして、スギ花粉、ダニ、ハウスダスト等が知られている。
アレルゲン低減化手段としては、アレルゲンを物理的に排除する「アレルゲンの除去」、アレルゲン吸着性物質による「アレルゲンの捕捉」、変性、あるいは反応部位の被覆や分解等によってアレルゲンのＩｇＥ抗体との結合能力を低下させる「アレルゲンの不活化」等がある。
【０００３】
従来、アレルゲン低減化剤及び低減化方法としては、
（１）タンニン酸を配合したもの（特許文献１）
（２）茶抽出物、没食子酸等を配合したもの（特許文献２）
（３）芳香族ヒドロキシ化合物、ラウリルベンゼンスルホン酸塩、ラウリル硫酸塩、ポリオキシエチレンラウリルエーテル硫酸塩等で配合したもの（特許文献３）
（４）衣類表面にシリコーン水溶液を噴霧後、乾燥機等で乾燥し、衣類に付着した花粉等を分離させるもの（特許文献４）
（５）シリコーン系接着剤を畳等のアレルゲンが存在する被処理物に塗布し、皮膜を形成した後剥離することで、アレルゲンを物理的に除去するもの（特許文献５）等が開示されている。
【特許文献１】特開昭６１−４４８２１号公報
【特許文献２】特開平６−２７９２７３号公報
【特許文献３】特開２００３−８１２７２７号公報
【特許文献４】特開２００１−４６７９５号公報
【特許文献５】特開平９−１５４５３２号公報
【発明の開示】
【発明が解決しようとする課題】
【０００４】
上記、先行技術（１）、（２）では、用いるアレルゲン低減化成分が処理後に変色しやすく、使用対象が制限されるという難がある。先行技術（３）では、用いるアレルゲン低減化成分を高濃度に接触させなければ、アレルゲン低減化効果が安定的に得られないという難がある。
先行技術（４）、（５）のアレルゲンを物理的に排除する「アレルゲンの除去」や、アレルゲン吸着性物質による「アレルゲンの捕捉」では、アレルゲンの抗体に対する結合能力は変化しないため、一旦除去、捕捉されたものが、再度、衣類等に付着した場合、アレルギー症状を引き起こす可能性がある。
【０００５】
本発明はかかる事情に艦みてなされたもので、アレルゲン低減化効果が安定的に得られ、しかも被処理物に対して変色等の外観変化を与える恐れのない、アレルゲンのＩｇＥ抗体との結合能力を低下させる「アレルゲンの不活化」によるアレルゲン低減化技術を提供することを目的とする。
【課題を解決するための手段】
【０００６】
本発明者らは上記課題を解決するべく鋭意検討し、シリコーン化合物がアレルゲン不活性化機能を呈することを新規に見出し、本発明を完成した。
本発明の環境中アレルゲン低減化組成物は、フェノール変性シリコーンを含む水分散液であり、花粉、ダニ、カビ、ハウスダスト及びペットの老廃物から選択される少なくとも１種の環境中アレルゲンを不活性化することを特徴とする。さらにエタノールを含むことが好ましく、前記フェノール変性シリコーンを０．０１〜２０質量％含むことが好ましい。
本発明の環境中アレルゲン低減化方法は、上記本発明の環境中アレルゲン低減化組成物を噴霧して前記環境中アレルゲンと接触させることを特徴とする。
【発明の効果】
【０００７】
本発明によれば、アレルゲン低減化効果が安定的に得られ、しかも被処理物に対して変色等の外観変化を与える恐れのない、アレルゲンの不活化によるアレルゲン低減化技術を提供することができる。
【発明を実施するための最良の形態】
【０００８】
以下、本発明について詳細に説明する。
本発明の環境中アレルゲン低減化組成物は、シリコーン化合物を含むことを特徴とするものである。また、本発明の環境中アレルゲン低減化剤は、シリコーン化合物を含むことを特徴とするものである。
「環境中アレルゲン」とは、生活空間（例えば、居住空間や車等の乗り物空間等）内に浮遊するアレルゲンや、生活まわり製品（例えば、ソファ、カーペット、カーテン、クッション、寝具等の繊維製品、畳、床、壁、窓、家具、玩具、ぬいぐる等の居住空間内の製品や、カーシート等の乗り物空間内の製品等）に付着したアレルゲンを意味し、その具体例としては、花粉、ダニ、カビ、ハウスダスト、ペットの老廃物等が挙げられる。
【０００９】
シリコーン化合物としては−（Ｓｉ−Ｏ）ｎ−を骨格とするものであれば特に限定されないが、ジメチルシリコーン、メチルフェニルシリコーン、メチルハイドロジェンシリコーン、アルキル変性シリコーン、フッ素変性シリコーン、ポリエーテル変性シリコーン、アルコール変性シリコーン、フェノール変性シリコーン、カルボキシル変性シリコーン、高級脂肪酸変性シリコーン、エポキシ変性シリコーン、カルビノール変性シリコーン、アミノ変性シリコーン、メタクリル変性シリコーン、メルカプト変性シリコーン、親水性特殊変性シリコーン等が挙げられる。
これらは１種を単独で又は２種以上使用することができる。
中でも、高いアレルゲン低減化機能を呈することから、アルコール変性シリコーン、フェノール変性シリコーン、カルボキシル変性シリコーン等が好ましい。
シリコーン化合物の分子構造は限定されず、直鎖でも、分岐や架橋したものであっても良い。また、変性シリコーン化合物の場合は１種の有機官能基により変性されたものでも、２種以上の有機官能基により変性されたものであっても良い。
【００１０】
シリコーン化合物は、シリコーンオイルや、シリコーンオイルが乳化剤にて分散されたエマルジョン等として市販されている。
シリコーンオイルやシリコーンエマルジョンとしては、例えば、東レ・ダウコーニング・シリコーン（株）製のＳＨ２００、ＰＲＸ４１３、ＳＨ５１０、ＳＨ１１０７、ＦＳ１２６５、ＳＨ３７４８、ＳＨ３７４９、ＳＦ８４１０、ＢＹ１６−８４８、ＢＹ１６−７５２、ＢＹ１６−１５０Ｂ、ＢＹ１６−１５０Ｃ、ＢＹ１６−７９９、ＳＦ８４１８、ＢＹ１６−８８０、ＢＹ１６−７５０、信越化学工業（株）製のＸ−２２−１６２Ｃ、Ｘ−２２−３７０１Ｅ、Ｘ−２２−３７１０、Ｘ−２２−３７１０、Ｘ−２２−１６０ＡＳ、Ｘ−２２−４２７２、Ｘ−２２−４９５２、Ｘ−２２−６２６６ＫＦ−６００１、ＫＦ−６００２、ＫＦ６００３、Ｘ−２２−４０１５、Ｘ２２−１８２１、ＫＦ３５２Ａ、ＫＦ６００８、ＫＦ６１５Ａ、ＫＦ６０１６、ＫＦ６０１７、ＧＥ東芝シリコーン（株）製のＴＳＦ４４５０、ＴＳＦ４４５２、日本ユニカー（株）製のＳＩＬＷＥＴ  Ｌ−７００１、ＳＩＬＷＥＴ  Ｌ−７００２、ＳＩＬＷＥＴ  Ｌ−７６０２、ＳＩＬＷＥＴ  Ｌ−７６０４、ＳＩＬＷＥＴ  ＦＺ−２１０４、ＳＩＬＷＥＴ  ＦＺ−２１２０、ＳＩＬＷＥＴ  ＦＺ−２１６１、ＳＩＬＷＥＴ  ＦＺ−２１６２、ＳＩＬＷＥＴ  ＦＺ−２１６４、ＳＩＬＷＥＴＦＺ−２１７１等が市販されている（いずれも商品名）。
また、東レ・ダウコーニング（株）製のＢＹ１６−８５０、ＢＹ１６−２０８ 信越化学工業（株）製のＸ−２２−１６１Ｂ、ＫＦ−８５９、ＫＦ−８００２、ＫＦ−８６５、Ｘ−２２−１６４Ｃ、ＫＦ−２００１、ＫＦ−２２−９０４、ＧＥ東芝シリコーン（株）製のＴＳＦ４７００、ＴＳＦ４７０９、日本ユニカー（株）製のＦＺ−３５０１、ＦＺ−３７８５等の市販品も好適である。
【００１１】
本発明の環境中アレルゲン低減化組成物を、環境中アレルゲンと接触させることで、環境中アレルゲンを不活性化させ、低減することができる。これは、シリコーン化合物が、アレルゲンを変性、あるいは反応部位を被覆又は分解するなどして、そのＩｇＥ抗体との結合能力を低下させるためと推定される。
【００１２】
本発明の組成物は、固状、ペースト状、ゲル状、液状等、いかなる剤形を呈するものであっても良い。また、使用形態としては特に限定されないが、本発明の組成物を通常の容器に充填したもの、本発明の組成物をエアゾール容器やディスペンサー容器等に充填したスプレー剤、本発明の組成物を布、不織布や、紙等のシート、綿棒、モップ等に付着させたもの等が挙げられる。
本発明の組成物の環境中アレルゲンへの接触方法は特に限定されないが、組成物を対象空間や対象物に対して噴霧する、組成物を対象物に塗布する、組成物を対象空間中に自然揮散させる、組成物を浸み込ませた布や不織布、スポンジ等の拭具で対象物を拭くなどが挙げられる。
【００１３】
但し、シリコーン化合物を広範囲のアレルゲンに対して簡易にかつ効率良く接触させることができることから、固状や、接着剤のような粘度の高いペースト状、ゲル状等よりも、液状が好ましい。すなわち、シリコーン化合物を、水や、水とエタノール等の有機溶剤との混合液等の液体中に分散させたものが好ましい。また、使用に際しては組成物を噴霧してアレルゲンに接触させることが好ましい。  
【００１４】
なお、本発明では、シリコーン化合物がアレルゲンを変性させて不活性化するため、処理後のアレルゲンを物理的に排除する必要はない。したがって、本発明の組成物をアレルゲンに対してスプレー噴霧等により接触させた後、特段の後処理を施すことなく、そのまま放置すれば良い。
【００１５】
本発明の組成物におけるシリコーン化合物の濃度は特に限定されず、使用形態や使用方法等に応じて適宜設定すれば良いが、例えば、全体を液状とし、噴霧等して使用する場合、組成物総量に対するシリコーン化合物の有効濃度（エマルジョン等の場合には、これに配合されたシリコーン化合物量で換算する。）は０．００１〜７０質量％が好ましく、０．０１〜４０質量％がより好ましく、０．０１〜２０質量％が特に好ましい。シリコーン化合物の有効濃度が０．００１質量％未満では、アレルゲン低減効果が充分に発現しない恐れがあり、７０質量％を超えると組成物の粘度が高くなり、噴霧性等の使用性が低下する場合がある。
【００１６】
本発明の組成物のｐＨ（固状の場合には水に溶解した時のｐＨを意味する。）は特に制限されないが、本発明者は、本発明の組成物が、好ましくはｐＨ２〜１１、特に好ましくは３〜１０の範囲内で、アレルゲン低減化効果を安定的に発現することを見出している。
本発明の組成物には、ｐＨを上記範囲に調整するために、必要に応じてｐＨ調整剤を配合することができる。ｐＨ調整剤としては、塩酸、硫酸、リン酸、アルキル硫酸、安息香酸、パラトルエンスルホン酸、クエン酸、リンゴ酸、コハク酸、乳酸、グリコール酸、ヒドロキシエタンジホスホン酸、フィチン酸、エチレンジアミン四酢酸等の無機又は有機酸、トリエタノールアミン、ジエタノールアミン、ジメチルアミン、Ｎ−メチルエタノールアミン、Ｎ−メチルジエタノールアミン等の短鎖アミン化合物、水酸化ナトリウム等のアルカリ金属水酸化物、アルカリ金属炭酸塩、アルカリ金属珪酸塩等が挙げられる
【００１７】
本発明の組成物はシリコーン化合物を必須成分とし、必要に応じてこれを媒散する水や水／有機溶剤混合液等の液体成分やｐＨ調整剤を含むものであるが、本発明の効果を妨げない範囲内で、必要に応じて各種添加剤を配合することができる。
添加剤としては、例えば、カチオン性界面活性剤、アニオン性界面活性剤、両性界面活性剤、ノニオン性界面活性剤、シリコーン化合物以外の高分子化合物、ヘキサン酸とグリセリン又はペンタエリスリトールとの部分エステル化物、塩化ナトリウム、塩化アンモニウム、塩化カルシウム、塩化マグネシウム、塩化カリウム等の水溶性塩、流動パラフィン、高級アルコールなどの油剤、尿素、殺菌剤、抗菌剤、防腐剤、酸化防止剤、染料、顔料、ノニオン性セルロース誘導体、キレート剤、ハイドロトロープ剤、紫外線吸収剤、蛍光増白剤、香料、色素、消泡剤等が挙げられる。
【００１８】
本発明の環境中アレルゲン低減化組成物、環境中アレルゲン低減化剤、および環境中アレルゲン低減化方法によれば、シリコーン化合物が、アレルゲンのＩｇＥ抗体との結合能力を低下させ不活化するので、噴霧等により本発明の組成物を環境中アレルゲンに接触させるだけで、簡易に、良好なアレルゲン低減効果が得られる。シリコーン化合物はアレルゲン不活性化機能に優れるため、少量でも、具体的にはシリコーン化合物を０．００１質量％以上配合して噴霧等するだけで、安定的に、良好なアレルゲン低減効果が得られる。
また、シリコーン化合物はそれ自体が変色する等の恐れがないため、被処理物に対して、変色等の外観変化を与える恐れもない。
加えて、シリコーン化合物はアレルゲン自体を不活性化するものであるので、処理後のアレルゲンを物理的に排除するなどの後処理を要することなく、使用も簡便である。
【実施例】
【００１９】
以下、実施例により本発明を更に詳細に説明するが、本発明は以下に記載の実施例によって何ら限定されるものではない。
（実施例１〜４、比較例）
評価溶液として、下記シリコーン化合物ａ〜ｄを各々１質量％エタノール水溶液中に分散させ、シリコーン化合物の有効濃度が１．０質量％のシリコーン化合物水／エタノール溶液を得た（実施例１〜４）。また、比較のため、シリコーン化合物を含まない１質量％エタノール水溶液を調製した（比較例）。
シリコーン化合物ａ：日本ユニカー社製ジメチルシリコーンオイル、商品名Ｌ−９０００
シリコーン化合物ｂ：東レ・ダウコーニング社製カルボキシル変性シリコーン、商品名ＢＹ１６−７５０
シリコーン化合物ｃ：東レ・ダウコーニング社製アルコール変性シリコーン、商品名ＢＹ１６−２０１
シリコーン化合物ｄ：東レ・ダウコーニング社製フェノール変性シリコーン、商品名ＢＹ１６−７５２
調製した各溶液について、下記方法にてアレルゲン低減率を求めた。
【００２０】
（アレルゲン低減率の測定方法）
アレルゲン低減率をＥＬＩＳＡ法により求めた。
該法では、一次抗体をプレートに仕込んだ後、抗原（アレルゲン）を添加して抗原抗体反応を起こさせる。さらに、抗原抗体反応を起こした抗原にのみ選択的に結合する標識抗体を添加する。この標識抗体にはあらかじめ特定の酵素（ペルオキシターゼ）が結合されている。最後に先の酵素によって発色する発色液を添加する。抗原抗体反応が多く進行した程、発色が濃くなるので、発色度合いを吸光度で測定することで、アレルゲン低減率を評価することができる。
【００２１】
以下、具体的な手順を記載する。
＜ＥＬＩＳＡ法によるスギアレルゲン低減率の評価手順（スギアレルゲン低減率の測定方法）＞
（１）はじめに、炭酸ナトリウム１．５９ｇと重炭酸ナトリウム２．９３ｇとを蒸留水に溶解し１０００ｍＬとした炭酸緩衝液を用いて５０倍希釈した一次抗体（抗Ｃrｙ j１モノクローナル抗体０１３、メーカーコード  ＨＢＬ−Ａｂ−１−０１３、ストック濃度５００μｇ／ｍＬ、生化学工業社製）を、イムノプレート（商品名、ナルゲヌンク社製）の各ウェルに１００μＬずつ採取した。全体をサランラップ（商品名、旭化成社）で包み、４℃下で一晩静置した。
（２）次いで、ウェル内の溶液を廃棄し、リン酸二水素一カリウム０．２６７ｇとリン酸一水素ニナトリウム２．８８ｇと塩化ナトリウム８．０ｇとを蒸留水に溶解して１０００ｍＬとしたＰＢＳ酸緩衝液を各ウェルに１５０μＬずつ添加した後、プレートに振動を加えて洗浄し、プレートを逆さにして溶液を廃棄した。同様の洗浄および廃棄操作をさらに２セット行った。
（３）牛血清アルブミン（シグマ社製）を１質量％溶解させたＰＢＳ酸緩衝液（ＢＳＡ−ＰＢＳ酸緩衝液）を各ウェルに１５０μＬずつ採取し、室温（２５℃）下で約１時間静置した。その後、ウェル内の溶液を廃棄し、さらに上記ＰＢＳ酸緩衝液を各ウェルに１５０μＬずつ添加して洗浄し、プレートを逆さにして溶液を廃棄した。同様の洗浄および廃棄操作をさらに２セット行った。
（４）次いで、別途調製した抗原溶液を各ウェルに１００μＬずつ採取し、室温（２５℃）下で約１時間放置した。ウェル内の溶液を廃棄し、上記ＰＢＳ酸緩衝液を各ウェルに１５０μＬずつ添加して洗浄し、プレートを逆さにして溶液を廃棄した。同様の洗浄および廃棄操作をさらに２セット行った。
（５）その後、上記ＢＳＡ−ＰＢＳ酸緩衝液を用いて１０００倍希釈した標識抗体（西洋ワサビ由来ペルオキシダーゼ標識抗Ｃｒｙ j１モノクローナル抗体０５３（メーカーコード  ＨＢＬ−Ａｂ−１−０５３Ｐ、ストック濃度２５０μｇ／ｍＬ、生化学工業社製）を各ウェルに１００μＬずつ採取し、室温（２５℃）で約１時間反応させた。
（６）トゥイーン２０（Ｔｗｅｅｎ２０、商品名、メルク社製）を０．０５質量％となるように溶解したＰＢＳ酸緩衝液を各ウェルに１５０μＬずつ添加して洗浄し、溶液を廃棄した。同様の洗浄、廃棄操作を繰り返し、さらに同溶液３００μＬで洗浄し、溶液を廃棄した。
（７）クエン酸１水和物７．３ｇおよびリン酸二ナトリウム１２水和物２３．９ｇを蒸留水に溶解して１０００ｍＬとしたクエン酸／リン酸緩衝液Ａを各ウェルに３００μＬずつ採取し、約１分間静置した後、溶液を廃棄した。
（８）次いで、クエン酸１水和物１０．３ｇおよびリン酸二ナトリウム１２水和物３５．８ｇを蒸留水に溶解して１０００ｍＬとしたクエン酸／リン酸緩衝液Ｂ１２ｍＬに対して、ｏ−フェニレンジアミン（コスモバイオ社製）１錠を溶解し、さらに３０％過酸化水素水１２μＬを添加して発色液を調製した。
（９）この発色液を各ウェルに１００μＬずつ採取し、アルミホイル（商品名、日本製箔社製）で遮光して室温（２５℃）下で１５分間静置した。
（１０）最後に、１Ｍ硫酸を各ウェルに１５０μＬずつ採取し、マイクロプレートリーダー（商品名パワースキャンＨＴ、大日本製薬社製）にて４９２ｎｍにおける吸光度を測定した。
【００２２】
＜抗原溶液＞
［試料溶液１］
神奈川県南足柄市に植林されて生育したスギより採取したスギ花粉を、各実施例、比較例において調製した評価溶液に、スギ花粉濃度が５ｍｇ／ｍＬとなるように添加し、１時間室温（２５℃）下で静置した。これを蒸留水で１０倍希釈し、さらに上記ＰＢＳ酸緩衝液で１０倍希釈した。得られた抗原溶液を用い、上記手順で吸光度Ａを測定した。
［ブランク溶液１］
スギ花粉を使用しない以外は試料溶液１と同様にして、ブランク溶液１を調製した。抗原溶液の代わりにこのブランク溶液を用い、上記手順で吸光度Ｂ１を測定した。
［ブランク溶液２］
評価溶液に代えて蒸留水を用いた以外は試料溶液１と同様にして、ブランク溶液２を調製した。抗原溶液の代わりにこのブランク溶液を用い、上記手順で吸光度Ｂ２を測定した。
＜アレルゲン低減率の算出＞
以上のようにして測定した吸光度Ａ、Ｂ１、Ｂ２から、下記式に基づいてアレルゲン低減率を算出した。
アレルゲン低減率（％）＝｛１−（Ａ−Ｂ１）／（Ｂ２−Ｂ１）｝×１００
【００２３】
＜ＥＬＩＳＡ法によるダニアレルゲン低減率の評価手順（ハウスダスト中のダニアレルゲン低減率の測定方法）＞
ハウスダスト中のダニアレルゲン低減率の測定方法が、前記＜スギアレルゲン低減率の測定方法＞と異なる点は以下の点である。
前記＜スギアレルゲン低減率の測定方法＞においては、抗体として“抗Ｃｒｙ ｊ１モノクローナル抗体０１３、生化学工業社製”を用いたが、これに代えて“抗Der fIIモノクローナル抗体（メーカーコード  １５Ｅ１１）ストック濃度４００μｇ／ｍL、アサヒフードアンドヘルスケア社製”を用いた。
前記＜スギアレルゲン低減率の測定方法＞においては、標識抗体として“西洋ワサビ由来ペルオキシターゼ標識抗Cry j1モノクローナル抗体０５３、生化学工業社製”を用いたが、これに代えて“西洋ワサビ由来ペルオキシターゼ標識抗Der fIIモノクローナル抗体（メーカーコード  １３Ａ４ＰＯ）、ストック濃度２００μｇ／ｍＬ、アサヒフードアンドヘルスケア社製”を用いた。
前記＜スギアレルゲン低減率の測定方法＞においては、［試料溶液１］の調整で“神奈川県南足柄市に植林されて生育したスギより採取したスギ花粉”を“スギ花粉濃度が５ｍｇ／ｍＬ”となるように添加したが、これに代えて“家庭で１５年使用したカーペットより家庭用の電気掃除機を用いて採取したハウスダスト”を“ハウスダスト濃度が２０ｍｇ／ｍＬ”となるように添加した。
これら以外は＜スギアレルゲン低減率の測定方法＞と同様にして、ハウスダスト中のダニアレルゲン低減率を測定した。
【００２４】
（実施例１〜４、比較例の結果）
結果を表１に示す。
表に示すように、シリコーン化合物を用いなかった比較例では、アレルゲン低減率が０％であり、全くアレルゲン低減化効果を示さなかったのに対し、シリコーン化合物溶液を調製した実施例１〜４では、いずれも４２〜７２％の高いアレルゲン低減率を示し、シリコーン化合物を含む組成物が優れたアレルゲン低減化効果を呈することが示された。
特に、カルボキシル変性シリコーン（シリコーン化合物ｂ）、アルコール変性シリコーン（シリコーン化合物ｃ）、フェノール変性シリコーン（シリコーン化合物ｄ）が、ジメチルシリコーン（シリコーン化合物ａ）に比して、より高いアレルゲン低減化効果を呈することが示された。
【００２５】
【表１】
0004804748.tif 000002
【００２６】
（実施例５）  
実施例１で用いたシリコーン化合物（シリコーン化合物ａ）を用いて、表２に示す組成及びｐＨのアレルゲン低減化組成物を調製した。表中、配合量は有効濃度（単位は質量％）を示し、総量が１００質量％となるように、水量を調整した。なお、ｐＨ調整剤としては希硫酸又は水酸化ナトリウム、香料としては、特開２００２−１４６３９９号公報表１１〜１８に記載の香料組成物Ａ、色素としてはＣ．Ｉ．Ａｃｉｄ  Ｒｅｄ  １３８（日本化薬（株）製、カヤノールミーリングレッドＢＷ）を用いた。
【００２７】
（評価）
＜アレルギー症状軽減効果＞
３０ｃｍ×３０ｃｍの布の片面に、神奈川県南足柄市に生息しているスギより採取したスギ花粉１ｍｇを均一に振りかけた。さらに先に調製したアレルゲン低減化組成物５ｇを均一にスプレー噴霧して評価布を調製し、これをクリーンルーム（東京日立冷熱社着工のクリーンルーム：陽圧かつＨＥＰＡフィルターによる空調管理）内に載置した。花粉症の成人男子１０人に同室内の評価布の傍らで６時間過ごしてもらった。
日を改めて、花粉を付着させた布にアレルゲン低減化組成物を噴霧しなかった以外は同様として、クリーンルーム内で過ごしてもらい、布にアレルゲン低減化組成物を噴霧した場合に、目のかゆみ、くしゃみ、咳等のアレルギー症状が軽減されていたか否かを回答してもらった。回答結果から、下記基準に基づいて、アレルギー症状軽減効果を評価した。
判定基準
○：軽減したと回答した人が８人
△：軽減したと回答した人が４〜７人
×：軽減したと回答した人が３人以下
【００２８】
（実施例５の結果）
結果を表２に合わせて示す。
同表に示すように、シリコーン化合物を用いた組成物を花粉に対してスプレー噴霧するだけで、８割以上の人にアレルギー症状軽減効果が見られ、本発明のアレルゲン低減化組成物が実使用においても顕著なアレルギー症状軽減効果を呈することが示された。また、０．３質量％の低濃度溶液を５ｇ噴霧するだけで、かかる効果が得られ、シリコーン化合物が少量でも、顕著なアレルギー症状軽減効果を呈することが示された。
さらに、組成物をスプレー噴霧した布は数日を経過しても、変色等がなく、本発明の組成物は被処理物に対して外観上の影響を与えないものであった。
なお、用いたシリコーン化合物は、実施例１〜４の中では、アレルゲン低減率が最も低いものであったので、実施例２〜４で用いたシリコーン化合物であれば、より高いアレルギー症状軽減効果を呈することは明らかである。
【００２９】
以上、実施例１〜５では、花粉に対するアレルゲン低減化効果についてのみ評価したが、本発明者は、本発明の組成物がダニ、カビ、ハウスダスト、ペットの老廃物等の他のアレルゲンに対しても、高いアレルゲン低減化効果を呈することを確認している。
【００３０】
【表２】
0004804748.tif 000003
【産業上の利用可能性】
【００３１】
本発明のアレルゲン低減化技術は、生活空間（例えば、居住空間や車等の乗り物空間等）内に浮遊するアレルゲンや、生活まわり製品（例えば、ソファ、カーペット、カーテン、クッション、寝具等の繊維製品、畳、床、壁、窓、家具、玩具、ぬいぐる等の居住空間内の製品や、カーシート等の乗り物空間内の製品等）に付着したアレルゲンの低減化に好適に用いられる。
本発明の技術は、アレルゲンの低減化機能のみを呈するアレルゲン低減化剤の他、アレルゲンの低減化作用を呈する各種製品（消臭剤、抗菌・抗カビ剤、掃除液、殺虫剤、ダニ忌避剤、殺ダニ剤、除湿剤、空中散布剤、芳香剤、医薬部外品、医薬品等）としても利用できる。